(57)【要約】【課題】複雑な形状を有する入力デバイスを安価に提供する。【解決手段】入力デバイスは、タッチパッド３１を有する電子機器３を操作するタッチ操作用であり、操作者が摘む把持部２１の空洞２１ｂに詰め物２４が充填される。詰め物２４は、帯電性及び導電性を有し、把持部２１とは非導通である。把持部２１の下部には接部２３が備えられる。接部２３は、詰め物２４に突入して接触し、タッチパッド３１に対してタッチされる。【選択図】図２
2015219578.tif 000002
【特許請求の範囲】
【請求項１】
静電容量方式のタッチパッドを有する電子機器を操作するタッチ操作用入力デバイスであって、
ユーザに把持される、内部が空洞な把持部と、
前記把持部の空洞に充填され、帯電性を有し、前記把持部とは非導通の詰め物と、
前記把持部の下部に取り付けられ、前記空洞内の前記詰め物に突入して接触し、前記タッチパッドに対してタッチする接部と、
を備えること、
を特徴とするタッチ操作用入力デバイス。
【請求項２】
前記把持部の前記詰め物は、任意形状に縮小変形させることで前記把持部の空洞へ充填可能な柔軟性を有すること、
を特徴とする請求項１記載のタッチ操作用入力デバイス。
【請求項３】
前記把持部の前記詰め物は、ほぐしを加えつつ任意形状に変形させることで前記把持部の空洞へ充填可能な柔軟性を有すること、
を特徴とする請求項２記載のタッチ操作用入力デバイス。
【請求項４】
前記把持部は、ユーザの摘み力により潰れる弾力性を有し、
前記詰め物は、内部摩擦により帯電すること、
を特徴とする請求項１乃至３の何れかに記載のタッチ操作用入力デバイス。
【請求項５】
前記把持部は、２５２Ｎ未満の外力により潰れる弾力性を有すること、
を特徴とする請求項４記載のタッチ操作用入力デバイス。
【請求項６】
前記把持部は、９０Ｎ以下の外力により潰れる弾力性を有すること、
を特徴とする請求項４記載のタッチ操作用入力デバイス。
【請求項７】
前記把持部は、摩擦により静電気電荷が帯電する誘電体材料よりなり、
前記詰め物は、前記把持部の静電気電荷により帯電すること、
を特徴とする請求項１乃至６の何れかに記載のタッチ操作用入力デバイス。
【請求項８】
当該把持部とは別体であり、前記把持部と結合して当該把持部の下部となる土台と、
前記土台に充填され、帯電性及び導電性を有する詰め物と、
前記土台の前記把持部との結合部分に設けられ、前記把持部の前記詰め物に突入して接触し、前記土台の前記詰め物に突入して接触するリベットと、
を更に備え、
前記接部は、前記土台の前記詰め物と電気的に接続されるとともに、前記リベットを介して前記把持部の前記詰め物と電気的に接続されること、
を特徴とする請求項１乃至７の何れかに記載のタッチ操作用入力デバイス。
【請求項９】
前記把持部の下部に貫設される挿入孔を更に備え、
前記接部は、前記把持部の下部と別体であり、前記挿入孔に差し込まれることで取り付けられること、
を特徴とする請求項１乃至８の何れかに記載のタッチ操作用入力デバイス。
【請求項１０】
前記挿入孔は、複数貫設され、
前記接部は、複数取り付けられ、前記複数の挿入孔の何れか一部に差し込まれること、
を特徴とする請求項９記載のタッチ操作用入力デバイス。
【請求項１１】
前記接部に導電性の毛状体を更に備えること、
を特徴とする請求項１乃至１０の何れかに記載のタッチ操作用入力デバイス。
【請求項１２】
前記把持部は、ポリ塩化ビニル、ＡＢＳ樹脂、レジンキャスト、ゴム、ポリストーン、プラスチック、石膏、木製又は紙製であること、
を特徴とする請求項１乃至１１の何れかに記載のタッチ操作用入力デバイス。
【請求項１３】
前記把持部は、表面に２以上の多色の塗装がされていること、
を特徴とする請求項１乃至１２の何れかに記載のタッチ操作用入力デバイス。
【発明の詳細な説明】
【技術分野】
【０００１】
本発明は、タッチパッドにタッチすることで電子機器に操作を与えるタッチ操作用入力デバイスに関する。
【背景技術】
【０００２】
タッチパネルは、液晶や有機ＥＬ等のディスプレイと、ペンや指等の物体を接触、または近接させることにより、その位置を検出する静電容量方式のタッチパッドとを層状に重ねて配置した装置である。タッチパネルによれば、ユーザは表示されるボタンをタッチすることで、そのボタンに応じた処理をコンピュータに行わせたり、タッチした位置に線や図形を描画させたりでき、より自然な動作でコンピュータに対する入力操作を行うことができる。
【０００３】
このタッチパネルに対して、ユーザは指による操作の他にタッチペン又はスタイラスペンといった入力デバイスを用いることもある。タッチペン又はスタイラスペンは、静電容量方式のタッチパネルに接触又は近接する導電性の接部をペン先に有し、ユーザに把持されるペン胴体は導電性となっていて、指先からペン胴体を介して接部までの導通を確保し、人体が帯びる電荷を利用してタッチパネルに静電容量の変化を与えている（例えば、特許文献１参照）。
【０００４】
また、複数の接部を固有の配置関係で備える入力デバイスも提案されている（例えば、特許文献２参照）。入力デバイスがタッチされる電子機器のタッチパネルは多点検出可能であり、電子機器はタッチされる多点の位置関係と情報処理の内容とをストレージに関連づけて記憶しておく。そして、この電子機器は、タッチパネルが特定した複数の接部の配置関係に応じた情報処理を行う。この入力デバイスも複数の接部は導電性を有し、接部が形成された胴体は人体との導通を確保すべく導電性素材で形成されている。
【０００５】
このように、静電容量方式のタッチパッドに対する入力デバイスの基本原理は、接部と人体とを繋ぐ把持部の導電性素材による形成、又は把持部の表面を導電性素材でメッキ等の被覆処理によって、人体と接部とを導通させ、人体が帯びる電荷を利用してタッチパッドに静電容量の変化を与えるものである。
【先行技術文献】
【特許文献】
【０００６】
【特許文献１】特開２０１２−１６８９３４号公報
【特許文献２】特開２００８−１２３１６４号公報
【発明の概要】
【発明が解決しようとする課題】
【０００７】
人体が帯びる電荷を利用する入力デバイスは、入力デバイスの本体となる把持部に導電性を付与する処理が必要となる。当該処理は、把持部の導電性素材による形成や表面の導電性素材による被覆である。これら処理は、コスト上の観点から把持部の形状を制限してしまう。
【０００８】
すなわち、導電性素材としては、例えば金属、又は金属や炭素を配合した合成樹脂を挙げることができるが、これら素材は複雑な形状に加工することがポリ塩化ビニル製等と比べて容易ではなく、また素材自体のコストも高い。また、導電性素材で被覆するとなると、把持部の製造に加えて被覆処理が必要となり、コスト高となる。
【０００９】
そのため、従来、例えば多色に塗装されたフィギュア等の複雑な形状を有する入力デバイスはコスト高となってしまい、ペン型等の単純形状を有する入力デバイスが主流であった。
【００１０】
近年は、タッチパッドに対する入力デバイスを、ポインティングデバイスや電子ペンのような利用方法に加えて、スタンプラリーや各種ゲーム等のために利用する方法も提案されている。この利用方法において、ペン型等の単純形状を有する入力デバイスは、スタンプラリーやゲームへの没入感を喪失させてしまう。各種のキャラクタやランドマークとなる建造物を模した入力デバイスが低コストで製造できれば、スタンプラリーやゲームに興じやすくなる。
【００１１】
本発明は、上記のような従来技術の問題点を解決するために提案されたもので、安価に複雑な形状を有する入力デバイスを提供することを目的とする。
【課題を解決するための手段】
【００１２】
上記の課題を解決するため、本発明に係る入力デバイスは、静電容量方式のタッチパッドを有する電子機器を操作するタッチ操作用入力デバイスであって、ユーザに把持される、内部が空洞な把持部と、前記把持部の空洞に充填され、帯電性を有し、前記把持部とは非導通の詰め物と、前記把持部の下部に取り付けられ、前記空洞内の前記詰め物に突入して接触し、前記タッチパッドに対してタッチする接部と、を備えること、を特徴とする。
【００１３】
前記把持部の前記詰め物は、丸めて任意形状に縮小変形させることで前記把持部の空洞へ充填可能な柔軟性を有するようにしてもよい。
【００１４】
前記把持部の前記詰め物は、千切りを加えつつ任意形状に変形させることで前記把持部の空洞へ充填可能な柔軟性を有するようにしてもよい。
【００１５】
前記把持部は、ユーザの摘み力により潰れる柔軟性を有し、前記詰め物は、内部摩擦により帯電するようにしてもよい。
【００１６】
前記把持部は、２５２Ｎ未満の外力により潰れる弾力性を有するようにしてもよい。
【００１７】
前記把持部は、９０Ｎ以下の外力により潰れる弾力性を有するようにしてもよい。
【００１８】
前記把持部は、摩擦により静電気電荷が帯電する誘電体材料よりなり、前記詰め物は、前記把持部の静電気電荷により帯電するようにしてもよい。
【００１９】
当該把持部とは別体であり、前記把持部と結合して当該把持部の下部となる土台と、前記土台に充填され、帯電性及び導電性を有する詰め物と、前記土台の前記把持部との結合部分に設けられ、前記把持部の前記詰め物に突入して接触し、前記土台の前記詰め物に突入して接触するリベットと、を更に備え、前記接部は、前記土台の前記詰め物と電気的に接続されるとともに、前記リベットを介して前記把持部の前記詰め物と電気的に接続されるようにしてもよい。
【００２０】
前記把持部の下部に貫設される挿入孔を更に備え、前記接部は、前記把持部の下部と別体であり、前記挿入孔に差し込まれることで取り付けられるようにしてもよい。
【００２１】
前記挿入孔は、複数貫設され、前記接部は、複数取り付けられ、前記複数の挿入孔の何れか一部に差し込まれるようにしてもよい。
【００２２】
前記接部に導電性の毛状体を更に備えるようにしてもよい。
【００２３】
前記把持部は、ポリ塩化ビニル、ＡＢＳ樹脂、レジンキャスト、ゴム、ポリストーン、プラスチック、石膏、木製又は紙製であるようにしてもよい。
【００２４】
前記把持部は、表面に２以上の多色の塗装がされているようにしてもよい。
【発明の効果】
【００２５】
本発明によれば、従来のように接部と人体を導通させるために把持部を導電性とする必要性がないので、加工容易な素材で入力デバイスを製造でき、安価で複雑な形状の入力デバイスを提供することができる。
【図面の簡単な説明】
【００２６】
【図１】入力デバイス及び電子機器で構成される情報処理システムの構成図である。
【図２】入力デバイスの分解斜視図である。
【図３】把持部を複雑な形状とした入力デバイスを示す斜視図である。
【図４】ペン型の入力デバイスを示す斜視図である。
【発明を実施するための形態】
【００２７】
本発明に係る入力デバイスの実施形態について図面を参照しつつ詳細に説明する。図１に示すように、入力デバイス２は、操作者に把持され、電子機器３に対して操作を与えるタッチ操作用のデバイスである。電子機器３は、入力インターフェースとしてタッチパッド３１を備える所謂コンピュータであり、例えばスマートフォン、タブレット端末、ＰＤＡ、ノートＰＣ等である。タッチパッド３１は、液晶ディスプレイと重ね合わせてタッチパネルの一構成要素としても電子機器３に備えられる。
【００２８】
タッチパッド３１は、入力デバイス２と導電膜との間での静電容量の変化を捉えて位置を検出する静電容量方式であり、１点又は２以上の多点が検出可能となっている。入力デバイス２は、タッチパッド３１との接触点に静電的な導電性を有する接部２３を有し、タッチパッド３１にタッチすることで電子機器３にタッチ位置を検出させ、タッチ位置に応じた処理を実行させる。タッチとは、静電容量方式のタッチパッド３１に静電容量の変化を与える操作であり、入力デバイス２のタッチパッド３１に対する接触又は近接である。
【００２９】
図２に示すように、入力デバイス２は、操作者が把持する把持部２１と、把持部２１の下部に取り付けられる１又は複数の接部２３を有する。把持部２１の下部は、把持部２１と結合する土台２２として別体とすることもできる。この入力デバイス２は、操作者が把持部２１を把持し、入力デバイス２をタッチパッド３１に近づけ、土台２２の底に取り付けられた接部２３をタッチパッド３１にタッチさせることで、電子機器３を操作する。
【００３０】
把持部２１は、導電性材料等に限らず、人体と非導通であり、ポリ塩化ビニル製、ＡＢＳ樹脂、レジンキャスト、ゴム製若しくはポリストーン等の樹脂、プラスチック、石膏、木製又は紙製等の導電性の低い誘電体素材で形成でき、その内部に空洞２１ｂを有する。把持部２１の空洞２１ｂには詰め物２４が充填される。把持部２１の底面には、空洞２１ｂに通じる開口２１ａが形成されており、この開口２１ａから詰め物２４が充填される。
【００３１】
詰め物２４は、帯電性及び導電性を有し、表面積は大きいが手で容易に丸め込んだり、解したり、千切ったりして任意の形状に縮小変形でき、外力を解除すると膨張変形するフレキシブルな柔軟性素材により成る。例えば、詰め物２４はスチールウール等の金属繊維又はスポンジである。この詰め物２４は、把持部２１の導電性が低い場合、人体とは非導通である。
【００３２】
ここで、この詰め物２４は、入力デバイス２の使用時、タッチパッド３１のタッチ感度を向上させるため、内部摩擦を用いて帯電させることがより好ましい。そのため、詰め物２４を外力によって変形可能とするため、把持部２１は、ユーザの摘み力によって潰れ変形する弾力性を有することがより好ましい。
【００３３】
すなわち、把持部２１は、素材や厚みにより、少なくとも２５２Ｎ（ニュートン）未満の外力によって潰れ変形可能に調整し、更に好ましくは９０Ｎ以下の外力によって潰れ変形可能に調整しておく。２５２Ｎは、一般的な男性でも把持部２１を潰すことができなかった最低値であり、９０Ｎは、一般的な男性が把持部２１を極めて容易に潰すことができた際の外力である。入力デバイス２を使用すると想定される者の年齢や性別を考慮して調整すればよい。
【００３４】
また、把持部２１が、摩擦により帯電を生じる誘電体材料より形成されると、詰め物２４の内部摩擦による帯電のほか、把持部２１に静電気電荷を発生させることができ、その静電気電荷を詰め物２４に供給することで、詰め物２４の帯電量を更に増幅させることができる。
【００３５】
把持部２１の開口２１ａは、土台２２との結合部としての機能も兼ねる。すなわち、土台２２の一面には、開口２１ａの内形と同一外形状の嵌合部２２ａが膨出している。この土台２２の一面は、接部２３が取り付けられる面と反対の面である。詰め物２４を充填した把持部２１の開口２１ａに嵌合部２２ａを嵌め込むことにより、内部に詰め物２４が充填された把持部２１と土台２２とが結合する。尚、土台２２は、把持部２１の下部と捉えることもでき、必ずしも把持部２１と別体で構成される必要はない。
【００３６】
土台２２は、それぞれシャーレ状の皿部２２ｂと蓋部２２ｃとを被せ合わせるように重ね合わせて成り、この皿部２２ｂと蓋部２２ｃにより内部に空洞が画成されている。土台２２の空洞にも詰め物２４が充填される。嵌合部２２ａは、蓋部２２ｃの外平面に設置又は一体形成される。この嵌合部２２ａには、導電性のリベット２５が突設されている。リベット２５は、嵌合部２２ａから土台２２の外部に突き出し、また蓋部２２ｃを貫いて土台２２の詰め物２４が充填された空洞内に突き出す。
【００３７】
土台２２は、接部２３の支持部としても機能し、接部２３は皿部２２ｂの外平面に差し込まれることで土台２２に取り付けられる。この接部２３は、皿部２２ｂに差し込まれると、土台２２の空洞に突き出る長さを有する。この接部２３は、円盤状の平頭２３ａを一端に有する導電性のリベット２３ｂである。平頭２３ａは、導電性のパイル２３ｃが植毛され、このパイル２３ｃにより表面が覆われている。パイル２３ｃは、毛状体の一例である。
【００３８】
皿部２２ｂの底面には、単数又は複数箇所に挿入孔２２ｄが貫設されている。接部２３は、皿部２２ｂの外側から任意の挿入孔２２ｄに差し込まれることで、平頭２３ａを土台２２の底面に露出させて土台２２に取り付けられる。
【００３９】
接部２３は、複数個を一つずつ任意の挿入孔２２ｄに取り付けるようにしてよい。すなわち、この入力デバイス２３は、単一の接部２３を有するポインティングデバイスとして、また複数の接部２３を固有の配置関係で備え、電子機器３に多点のタッチ位置を検出させて、多点のタッチ位置の配置関係に応じて特有の情報処理を実施させるためのデバイスとしても使用することができる。
【００４０】
尚、土台２２の底面には、接部２３の他に複数の脚部２２ｅが設けられている。脚部２２ｅは、ゴム製等の絶縁体でなり、挿入孔２２ｄが貫設される領域を避けて底面周縁に一体形成又は固定される。この脚部２２は、接部２３の平頭２３ａと同じ厚みを有する。この脚部２２は、接部２３をタッチパッド３１に接触させたとき、入力デバイス２の底面がタッチパッド３１と平行になるように、入力デバイス２の安定性を高めている。脚部２２ｅにもパイルを植毛しておくことができる。但し、脚部２２ｅに植毛するパイルは非導電性又は絶縁性の素材とし、静電容量方式のタッチパッド３１により検出されないようにしておく。
【００４１】
この入力デバイス２は、把持部２１と土台２２の各々に詰め物２４を充填した上で、土台２２上のリベット２５に把持部２１を被せるように把持部２１と土台２２を合わせ、両者を開口２１ａと嵌合部２２ａで結合し、土台２２に接部２３を差し込んで固定することで製造される。
【００４２】
このとき、接部２３のリベット２３ｂは、土台２２内の詰め物２４に突入して接触する。嵌合部２２ａに突設されたリベット２５は、その一端が土台２２内の詰め物２４に突入して接触する。更に、嵌合部２２ａに突設されたリベット２５は、その他端が把持部２１内の詰め物２４に突入して接触する。これにより、接部２３は、土台２２内の詰め物２４と電気的に接続され、更に土台内２２の詰め物２４とリベット２５を介して把持部２２の詰め物２４と電気的に接続される。
【００４３】
詰め物２４は、帯電性及び導電性を有しているため、接部２３と比べて大きな電荷が帯電しており、その電荷が接部２３に供給される。そのため、接部２３のみでは与えることのできない静電容量の変化をタッチパッド３１にもたらすことができ、入力デバイス２をタッチパッド３１にタッチさせたときの電子機器３の反応精度、タッチ位置の検出精度及び応答速度等の操作性が向上する。
【００４４】
しかも、電荷の供給源を人体に頼る必要がなくなれば、人体と接部２３との回路を形成するために入力デバイス２の把持部２１を敢えて導電性素材で形成する必要もない。そのため、この把持部２１は、導電性が低い素材ではあるが、複雑な形状への加工が容易な例えばポリ塩化ビニル製、ＡＢＳ樹脂、レジンキャスト、ゴム製若しくはポリストーン等の樹脂、プラスチック、石膏、木製又は紙製等とすることもでき、また表面も導電性の低い塗料で多色に塗装することもできる。従って、この入力デバイス２によれば、図３に示すように、把持部２１を多色に塗装されたフィギュア等の複雑な形状を有する装飾物とすることを安価に達成できる。
【００４５】
詰め物２４は、帯電性及び導電性の高い素材であれば特に限定はされないが、スチールウール等の柔軟性を有する素材とすることにより、把持部２１への充填が容易となり、更に把持部２１や土台２２の空洞体積に対して高い帯電性能力を入力デバイス２に付与することができる。また、この詰め物２４にほぐしを加えつつ任意形状に変形させて把持部２１に充填させた場合は、詰め物２４が綿飴のように内部に空気を蓄えつつ膨張するため、帯電性が更に向上する。
【００４６】
また、把持部２１がユーザの摘み力により潰れる程度の弾力性を持つように其の素材や厚みを調整すれば、空洞２１ｂ内の詰め物２４に内部摩擦を与え、詰め物２４に静電気電荷を帯電させることができる。これにより、入力デバイス２は更に高い帯電性能力を有し、電子機器３の反応精度、タッチ位置の検出精度及び応答速度等の操作性が更に向上する。
【００４７】
把持部２１を摩擦により静電気電荷が帯電する誘電体材料とすれば、把持部２１を弾性変形させることにより、把持部２１に静電気が発生し、その静電気が空洞２１ｂ内部の詰め物２４に電荷として帯電する。そのため、入力デバイス２は更に高い帯電性能力を有し、電子機器３の反応精度、タッチ位置の検出精度及び応答速度等の操作性が更に向上する。
【００４８】
更に、この入力デバイス２では、接部２３と接続された土台２２の内部の詰め物２４と把持部２１の内部の詰め物２４とをリベット２５で電気的に接続している。このリベット２５の存在は、把持部２１の詰め物２４と土台２２の詰め物２４とを分けることを可能とし、把持部２１と土台２２とを一体的に形成する必要がなく、別体とすることができる。そのため、土台２２は共通に製造しておき、各種形状の把持部２１を別工程で製造する製造方法が可能となり、しかも把持部２１を土台２２に嵌め込めば足りるので、多品種の入力デバイス２を安価に製造することが可能となる。
【００４９】
ここで、入力デバイス２は複数の接部２３を固有の配置関係で取り付けるようにすることもできる。また、電子機器３は、タッチした入力デバイス２を複数の接部２３の配置関係を検出することで識別し、識別した入力デバイス２に関連付けられた情報処理を行うように構成することもできる。
【００５０】
すなわち、電子機器３は、タッチパッド３１からタッチ位置を示すタッチ位置信号の入力を受けて、各接部２３のタッチ位置の位置関係を解析し、解析した多点のタッチ位置の位置関係が関連づけられた情報処理の内容を検索し、該当の情報処理の内容に従った処理を実行するようにすることができる。
【００５１】
この入力デバイス２では、複数の挿入孔２２ｄを有し、土台２２の詰め物２４に突入するリベット状の接部２３の複数個を特定の挿入孔２２ｄに挿入するだけで、接部２３の固有の配置関係を自在に実現できる。従って、入力デバイス２は、把持部２１、土台２２、接部２３の部品を別々に製造して組み立てる製造方法を採ることができ、接部２３の固有の配置関係を有する多品種の入力デバイス２を多くの部分を共通の製造ラインで製造することが可能となるため、低コストで製造可能となる。
【００５２】
もちろん、入力デバイス２には一点の挿入孔２２ｄのみを形成しておき、その一点の挿入孔２２ｄに一個の接部２３を取り付けることで、入力デバイス２は、図４に示すように、表示画面上に表示されたアイコン等の任意の位置を指定するタッチペンやスタイラスペン等のポインティングデバイスとすることもできる。
【００５３】
また、接部２３には導電性のパイル２３ｃが植毛されており、入力デバイス２は、このパイル２３ｃによりタッチパッド３１との接触部分が覆われている。そのため、タッチパッド３１やタッチパッド３１とディスプレイとを重ねたタッチパネルに対する防傷性、滑り性能及び密着性を向上させることができる。従って、この入力デバイス２を使用しても電子機器３の品質を保つことができ、また入力デバイス２による操作性が向上する。
【００５４】
以上の実施形態は、本発明の範囲を限定することを意図するものではない。発明の要旨を逸脱しない範囲で、種々の省略、置き換え、変更を行い、この実施形態に限らずに、そのほかの様々な形態で実施されることが可能である。そして、本実施形態やその変形は、発明の範囲や要旨に含まれるとともに、特許請求の範囲に記載された発明とその均等の範囲に含まれる。
【００５５】
すなわち、例えば、人体に帯電する電荷に頼らずとも接部２３に十分な電荷を供給できるという観点では、詰め物２４を入力デバイス２に充填し、詰め物２４と接部２３とを電気的に接続できれば足り、把持部２１と土台２２と接部２３とを別体とすることに限られない。例えば、把持部２１と土台２２を一体に成型し、または土台２２の機能を把持部２１の下部に兼ねさせて、把持部２１の底面に接部２３を直接取り付けるようにしてもよい。また、把持部２１を特殊な装飾物とすることや導電性能の低い素材とすることに限られない。
【００５６】
また、把持部２１を特殊な装飾物にできるという観点、及び詰め物２４の帯電性を高くするという観点では、詰め物２４に高い柔軟性が存在し、手作業等により丸め込んだり、解したり、千切ったりして充填可能とすることが好適であるが、これに限らない。
【符号の説明】
【００５７】
２  入力デバイス
２１  把持部
２１ａ  開口
２１ｂ  空洞
２２  土台
２２ａ  嵌合部
２２ｂ  皿部
２２ｃ  蓋部
２２ｄ  挿入孔
２２ｅ  脚部
２３  接部
２３ａ  平頭
２３ｂ  リベット
２３ｃ  パイル
２４  詰め物
２５  リベット
３  電子機器
３１  タッチパッド
【図１】
2015219578.tif 000003
【図２】
2015219578.tif 000004
【図３】
2015219578.tif 000005
【図４】
2015219578.tif 000006